(57)【要約】【課題】取付対象面に形成された開口が大きくても、煩雑な作業を必要とせずに管継手を取付対象面の開口に取付けられる管継手取付部材を提供すること。【解決手段】管継手１２のフランジ１８よりも外径が大きい取付部材本体３２と、取付部材本体３２の一方の面３２Ａに形成されてフランジ１８を収容可能な収容凹部３６と、収容凹部３６の底面を貫通しフランジ１８の外径より径が小さく配管Ｐ２の外径より径が大きい貫通孔３４と、収容凹部３６にフランジ１８を収容したときに孔１８Ａに入り込む突起３８と、取付部材本体３２を床面１００に皿ねじ２０で固定するための固定孔４０と、を有する管継手取付部材３０を用いることで、管継手１２を、床面１００に形成された開口１０２に取付けられるようになる。【選択図】図１
2010065732.tif 000002
【特許請求の範囲】
【請求項１】
筒体と前記筒体の外周から張り出すフランジとを備える管継手を、取付対象面に形成された開口に取付けるための管継手取付部材であって、
前記フランジよりも外形が大きく、前記取付対象面に固定される取付部材本体と、
前記取付部材本体の前記取付対象面に固定される側の面に形成され、前記取付対象面に設置された前記フランジを収容する収容凹部と、
前記収容凹部の底面を貫通し、前記フランジの外径より径が小さく、前記筒体又は、前記筒体に連結される配管が挿通される貫通孔と、
を有する管継手取付部材。
【請求項２】
前記フランジには、孔が形成され、
前記収容凹部の底面には、前記フランジを収容したときに、前記フランジの孔に入り込む突起が形成されている請求項１に記載の管継手取付部材。
【請求項３】
前記取付部材本体の前記収容凹部よりも外側には、前記取付部材本体を前記取付対象面にねじ固定するための固定孔が形成されている請求項１又は請求項２に記載の管継手取付部材。
【請求項４】
取付対象面に形成された開口上に位置する筒体と、前記筒体の外周から張り出し前記取付対象面に設置されたフランジと、を備える管継手を有し、
前記フランジよりも外形が大きく、一方の面に形成された収容凹部に前記フランジを収容して前記取付対象面に固定される管継手取付部材を有する管継手取付構造。
【請求項５】
前記収容凹部の底面には突起が形成され、
前記突起が前記フランジに形成された孔に入り込んでいる請求項４に記載の管継手取付構造。
【請求項６】
前記管継手取付部材は、前記取付対象面にねじで固定されている請求項４又は請求項５に記載の管継手取付構造。
【請求項７】
筒体と前記筒体の外周から張り出すフランジとを備える管継手の前記フランジを取付対象面に形成された開口の縁部に設置し、
前記フランジよりも外形が大きく、一方の面に前記フランジを収容する収容凹部が形成された管継手取付部材を前記収容凹部に前記フランジを収容しつつ、前記取付対象面に固定する管継手取付方法。
【発明の詳細な説明】
【技術分野】
【０００１】
本発明は、取付対象面に形成された開口に管継手を取付けるための管継手取付部材、管継手取付構造、及び管継手取付方法に関する。
【背景技術】
【０００２】
床下に配設された給水給湯用の樹脂配管（例えば、ポリブテン管）を床上に立ち上げる場合、通常、床の所望の位置に孔（以下、床孔）を形成し、この床孔を通して樹脂配管を床上まで引き出して、樹脂配管の先端にフランジ付き管継手を接続し、その後、床孔から樹脂配管を床下に押し戻し、管継手のフランジを床孔の縁部に載置して、フランジに形成されたビス止め用孔を介して床面にビスを捩じ込んで管継手を床面に固定している。
【０００３】
しかし、作業条件（例えば、配管時の作業性や、穴加工工具の種類など）によっては、床孔が管継手を取付けるのに必要な大きさよりも大きくなってしまうことがある。この場合には、ビス止め用孔が床孔に重なって、ビスによる管継手の床面への固定が十分にできないという不具合が生じることがある。このような不具合を解決するために、特許文献１では、外径が床孔の径よりも大きく、且つ、ビス止め用孔が床孔と重ならないように配置された円板状の取付補助具を床孔の縁部にビス固定し、そして床下の配管が接続された管継手の本体を床上側から取付補助具の貫通孔に挿通させつつ、フランジを取付補助具のフランジ取付部に固定している。
【特許文献１】特開２００８−３９０４７号公報
【発明の開示】
【発明が解決しようとする課題】
【０００４】
一方、床孔から床下の樹脂配管を引き出してその先端に管継手を接続し、その後、床孔の縁部に管継手のフランジを載置したときに床孔が大きく管継手のビス止め用孔を用いてビス固定できないことが判った場合、特許文献１の構成では、樹脂配管と管継手との接続を一旦解除し、樹脂配管を取付補助具の貫通孔を通してから樹脂配管と管継手とを再度接続し、床孔の縁部に取付補助具を固定してからその取付補助具に管継手を固定する必要がある。
【０００５】
このため市場では、床孔（開口）が大きくても、床下配管と管継手との接続解除、及び床下配管と管継手との再接続などの煩雑な作業を必要とせずに、管継手を床面（取付対象面）に取付けられるようにする取付部材の登場が期待されている。
【０００６】
本発明の目的は、上記事実を考慮して、取付対象面に形成された開口が大きくても、煩雑な作業を必要とせずに管継手を取付対象面の開口に取付けられる管継手取付部材、管継手取付構造、及び管継手取付方法を提供することにある。
【課題を解決するための手段】
【０００７】
請求項１に記載の管継手取付部材は、筒体と前記筒体の外周から張り出すフランジとを備える管継手を、取付対象面に形成された開口に取付けるための管継手取付部材であって、前記フランジよりも外形が大きく、前記取付対象面に固定される取付部材本体と、前記取付部材本体の前記取付対象面に固定される側の面に形成され、前記取付対象面に設置された前記フランジを収容する収容凹部と、前記収容凹部の底面を貫通し、前記フランジの外径より径が小さく、前記筒体又は、前記筒体に連結される配管が挿通される貫通孔と、を有する。
【０００８】
請求項１に記載の管継手取付部材によれば、取付対象面に設置された管継手のフランジを収容凹部に収容して取付部材本体が取付対象面に固定される。これにより、フランジが取付部材本体と取付対象面とで挟まれて管継手が取付対象面の開口に取付けられる。従って、管継手は、取付対象面に形成された開口が大きく、例えばフランジに設けられたビス止め用孔を介してねじで取付対象面の開口に直接取付けられない状態であったとしても、管継手取付部材を用いることで取付対象面の開口に取付けることができる。
【０００９】
また、請求項１に記載の管継手取付部材では、フランジを取付部材本体と取付対象面とで挟んで管継手を取付対象面の開口に取付けるため、取付対象面の裏側に設けられた配管を開口から引き出して管継手に接続した後でも、従来のように管継手と配管との接続を解除せずに、管継手を取付対象面の開口に取付けることができる。従って、配管と管継手との接続解除、及び再接続などの煩雑な作業を必要とせずに、管継手を取付対象面の開口に取付けることができる。
【００１０】
請求項２に記載の管継手取付部材は、前記フランジには、孔が形成され、前記収容凹部の底面には、前記フランジを収容したときに、前記フランジの孔に入り込む突起が形成されている。
【００１１】
請求項２に記載の管継手取付部材によれば、フランジを収容凹部に収容したときに、突起がフランジの孔に入り込む。これにより、取付対象面の開口に取付けた管継手に配管を捩じ込んだ場合に、管継手が配管と共回りするのが抑制される。
【００１２】
請求項３に記載の管継手取付部材は、前記取付部材本体の前記収容凹部よりも外側には、前記取付部材本体を前記取付対象面にねじ固定するための固定孔が形成されている。
【００１３】
請求項３に記載の管継手取付部材によれば、取付部材本体が固定孔を介してねじによって取付対象面に固定される。これにより取付部材本体が取付対象面に強固に固定される。
【００１４】
請求項４に記載の管継手取付構造は、取付対象面に形成された開口上に位置する筒体と、前記筒体の外周から張り出し前記取付対象面に設置されたフランジと、を備える管継手を有し、前記フランジよりも外形が大きく、一方の面に形成された収容凹部に前記フランジを収容して前記取付対象面に固定される管継手取付部材を有する。
【００１５】
請求項４に記載の管継手取付構造によれば、取付対象面に形成された開口上に位置する筒体のフランジが取付対象面に設置され、このフランジを収容凹部に収容した管継手取付部材が取付対象面に固定される。つまり、フランジが管継手取付部材と取付対象面とで挟まれて管継手が取付対象面の開口に取付けられる。従って、管継手は、取付対象面に形成された開口が大きく、例えばフランジに設けられたビス止め用孔を介してねじで取付対象面の開口に直接取付けられない状態であったとしても、管継手取付部材を用いて取付対象面の開口に取付けることができる。
【００１６】
また、請求項４に記載の管継手取付構造では、フランジを取付部材本体と取付対象面とで挟んで管継手を取付対象面の開口に取付ける構造のため、取付対象面の裏側に設けられた配管を開口から引き出して管継手に接続した後でも、従来のように管継手と配管との接続を解除せずに、管継手を取付対象面の開口に取付けることができる。従って、配管と管継手との接続解除、及び再接続などの煩雑な作業を必要とせずに、管継手を取付対象面の開口に取付けることができる。
【００１７】
請求項５に記載の管継手取付構造は、前記収容凹部の底面には突起が形成され、前記突起が前記フランジに形成された孔に入り込んでいる。
【００１８】
請求項５に記載の管継手取付構造によれば、収容凹部に収容されたフランジの孔に突起が入り込んでいるため、管継手に配管を捩じ込んだ場合に、管継手が配管と共回りするのが抑制される。
【００１９】
請求項６に記載の管継手取付構造は、前記管継手取付部材は、前記取付対象面にねじで固定されている。
【００２０】
請求項６に記載の管継手取付構造によれば、管継手取付部材が取付対象面にねじで固定されているため、管継手取付部材が取付対象面に強固に固定される。
【００２１】
請求項７に記載の管継手取付方法は、筒体と前記筒体の外周から張り出すフランジとを備える管継手の前記フランジを取付対象面に形成された開口の縁部に設置し、前記フランジよりも外形が大きく、一方の面に前記フランジを収容する収容凹部が形成された管継手取付部材を前記収容凹部に前記フランジを収容しつつ、前記取付対象面に固定する。
【００２２】
請求項７に記載の管継手取付方法によれば、管継手のフランジが取付対象面に形成された開口の縁部に設置され、その後、フランジが管継手取付部材の収容凹部に収容されつつ、管継手が取付対象面に固定される。これにより、フランジが管継手取付部材と取付対象面とで挟まれて管継手が取付対象面の開口に取付けられる。従って、管継手は、取付対象面に形成された開口が大きく、例えばフランジに設けられたビス止め用孔を介してねじで取付対象面の開口に直接取付けられない状態であったとしても、管継手取付部材を用いることで取付対象面の開口に取付けることができる。
【００２３】
また、請求項７に記載の管継手取付部材では、フランジを管継手取付部材と取付対象面とで挟んで管継手を取付対象面の開口の縁部に取付けるため、取付対象面の裏側に設けられた配管を開口から引き出して管継手に接続した後でも、従来のように管継手と配管との接続を解除せずに、管継手を取付対象面の開口に取付けることができる。従って、配管と管継手との接続解除、及び再接続などの煩雑な作業を必要とせずに、管継手を取付対象面の開口に取付けることができる。
【発明の効果】
【００２４】
以上説明したように、本発明の管継手取付部材、管継手取付構造、及び管継手取付方法では、取付対象面に形成された開口が大きくても、煩雑な作業を必要とせずに管継手を取付対象面の開口に取付けることができる。
【発明を実施するための最良の形態】
【００２５】
（第１実施形態）
以下、図面を参照して本発明の管継手取付部材の第１実施形態について詳細に説明する。まず、第１実施形態の管継手取付部材３０を用いて取付対象面としての床面１００に取付ける管継手１２、及びこの管継手１２に連結される配管について詳細に説明する。
【００２６】
（管継手、配管）
図１に示されるように、管継手１２は、床面１００の下側、つまり床下の配管Ｐ１と、床面１００の上側、つまり床上の配管Ｐ２とを連結する、ストレート型の継手である。なお、本実施形態では管継手をストレート型としているが、本発明はこの構成に限定される必要はなく、エルボー型、Ｔ字型などであってもよい。また、本実施形態では、床下の配管Ｐ１を樹脂管（例えばポリブテン管など）、床上の配管Ｐ２を金属管としているが、本発明はこの構成に限定されない。
【００２７】
また、管継手１２を具体的に説明すると、管継手１２は、円筒状の継手本体１３と、継手本体１３の軸方向の一端部（図１では下端部）に設けられた第１配管接続部１４と、継手本体１３の軸方向の他端部（図１では上端部）に設けられた第２配管接続部１６とを備えている。
【００２８】
第１配管接続部１４は、配管Ｐ１を差し込むと、配管Ｐ１の差し込んだ部分に食い込む爪を有しており、この爪が配管Ｐ１に食い込んで配管Ｐ１が第１配管接続部１４に接続されるようになっている。なお、本実施形態の第１配管接続部１４は、一度接続した配管を接続解除できない構造、つまり、食い込んだ爪が抜けない構造となっているが、本発明はこの構成に限定される必要はなく、接続した配管が冶具などを用いて接続解除できる構造としてもよい。なお、本実施形態では、第１配管接続部１４の爪が配管Ｐ１に食い込むことで第１配管接続部１４と配管Ｐ１とが接続される構成としているが、本発明はこの構成に限定される必要はなく、第１配管接続部１４と配管Ｐ１とに夫々ねじを形成してこれらを螺合させて第１配管接続部１４と配管Ｐ１とを接続する構成としてもよく、それ以外の手段で第１配管接続部１４と配管Ｐ１とを接続する構成としてもよい。
【００２９】
第２配管接続部１６は、継手本体１３の軸方向の他端部に形成された雌ねじであり、配管Ｐ２の先端部に形成された雄ねじ（図示省略）が捩じ込まれることで配管Ｐ２と接続されるようになっている。なお、本実施形態では、継手本体１３を金属製としているが、本発明はこの構成に限定される必要はなく、継手本体１３は樹脂性であってもよく、それ以外であってもよい。なお、継手本体１３を樹脂製にするときは、配管Ｐ２も樹脂製とすることが好ましい。また、本実施形態では、第２配管接続部１６である雌ねじに配管Ｐ２の先端部に形成された雄ねじ（図示省略）を捩じ込むことで第２配管接続部１６と配管Ｐ１とが接続される構成としているが、本発明はこの構成に限定される必要はなく、第２配管接続部１６に配管Ｐ２の差し込んだ部分の外周面を押圧して抜けを阻止する押圧部材（例えば、ゴムパッキンやＯリングなど）を設け、この押圧部材で配管Ｐ２の抜けを阻止して第２配管接続部１６と配管Ｐ２とを接続する構成としてもよく、それ以外の手段で第２配管接続部１６と配管Ｐ２とを接続する構成としてもよい。
【００３０】
また、継手本体１３の軸方向の他端部には、外周側に張り出す一定外径のフランジ１８が形成されている。このフランジ１８は、平面視で、孔１８Ａがフランジ中心から一定径の位置に周方向に等間隔で３箇所形成されている。なお、本実施形態では、孔１８Ａをフランジ１８に３箇所形成しているが、孔１８Ａは管継手１２のフランジ１８に２箇所以上形成されればよい。
【００３１】
（管継手取付部材）
図１〜図３に示されるように、管継手取付部材３０は、円板状とされ、且つ金属製の取付部材本体３２を備えている。この取付部材本体３２は、外径がフランジ１８よりも大径とされ、中心部に軸方向に沿って貫通孔３４が形成されている。この貫通孔３４は、フランジ１８の外径よりも径が小さく、配管Ｐ２の外径よりも大きくなっている。なお、本実施形態では、取付部材本体３２を円板状、つまり、取付部材本体３２の外輪郭形状を円形とする構成としたが、本発明はこの構成に限定される必要はなく、取付部材本体３２の外輪郭形状を楕円形、多角形、又はそれら以外の形とした板状としてもよい。
【００３２】
取付部材本体３２の一方の面３２Ａ（図２では正面、図３では下面）には、フランジ１８を収容するための円柱形状の凹みである収容凹部３６が形成されている。この収容凹部３６の深さは、取付部材本体３２の厚みと同じ又は若干深めに設定されている。このように設定することで、収容凹部３６内にフランジ１８が全て収容されるため、取付部材本体３２の上方のスペースを広くすることができる。なお、本実施形態では、収容凹部３６の深さを取付部材本体３２の厚みと同じにしている。
【００３３】
収容凹部３６の底面には、円柱状の突起３８が設けられている。この突起３８は、貫通孔３４の中心軸を中心にして一定径の位置に周方向に等間隔で３箇所形成されており、フランジ１８を図１に示されるように収容凹部３６に収容したときに、突起３８が孔１８Ａに入り込むようになっている。また、突起３８の外径は、孔１８Ａの径と同じ又は若干大きく設定することが好ましい。このように設定することで、突起３８が孔１８Ａに強固に嵌まり込み、取付部材本体３２に対する管継手１２の回転（遊び）を抑制できるようになる。つまり管継手１２がガタつかなくなる。なお、本実施形態では、突起３８の外径を孔１８Ａの径よりも若干大きくしている。また、収容凹部３６にフランジ１８を収容し、突起３８に孔１８Ａを入り込ませたときには、フランジ１８の中心線と貫通孔３４の中心線とが一致する。さらに、本実施形態では、孔１８Ａの数を３つ、突起３８の数も孔１８Ａの数に合わせて３つとしているが、突起３８が１つあれば、取付部材本体３２に対する管継手１２の回転を抑制することができるため、突起３８の数は、フランジ１８の孔１８Ａの数に対して同じ又は少なくてもよい。
【００３４】
また、突起３８の先端は、取付部材本体３２の一方の面３２Ａと同一平面状にあることが好ましい。このように設定することで、取付部材本体３２を切削加工で製造する場合に、加工工数を減らすことができる。なお、本実施形態では、取付部材本体３２を金属製としているが、本発明はこの構成に限定される必要はなく、取付部材本体３２を樹脂製としてもよい。さらに、本実施形態では、突起３８の先端が平坦面となっているが、例えば、突起３８の先端の縁部をテーパー状としてフランジ１８の孔１８Ａに嵌めこみやすくしてもよい。
【００３５】
また、取付部材本体３２には、収容凹部３６よりも外周側に固定孔４０が貫通孔３４の中心から一定径の位置に周方向に等間隔で３箇所形成されている。この固定孔４０は、取付部材本体３２を床面１００に固定するための皿ねじ２０を通すための孔であり、取付部材本体３２の他方の面３２Ｂ（図２では裏面、図３では上面）側が皿ねじ２０のねじ頭の形状に合わせてテーパー状となっている。なお、本実施形態では、取付部材本体３２の取り付けに皿ねじを用いる構成としたが、本発明はこの構成に限定されず、取付部材本体３２の固定になべねじを用いてもよい。また、なべねじのねじ頭が取付部材本体３２の他方の面３２Ｂから突出するのを抑制する場合には、固定孔４０の他方の面３２Ｂ側をなべねじのねじ頭が入り込むような大きさの孔径とすればよい。なお、本実施形態では、固定孔４０を取付部材本体３２に３箇所形成しているが、固定孔４０は取付部材本体３２に２箇所以上形成されればよい。これは、固定孔４０が２箇所以上形成されれば、少なくとも２つの皿ねじ２０を用いて取付部材本体３２を床面１００にねじ止めできるため、取付部材本体３２を床面１００に確実に固定できるようになる。
【００３６】
（管継手取付構造）
次に、本発明の管継手取付構造の第１実施形態として、管継手１２が管継手取付部材３０を用いて床面１００に取付けられた管継手取付構造１０について説明する。なお、本実施形態の管継手取付構造１０は、管継手取付部材３０、管継手１２、及び皿ねじ２０によって構成される。
【００３７】
図１に示されるように、管継手１２は、第１配管接続部１４側が床面１００の開口１０２を挿通しつつ、フランジ１８が開口１０２の縁部に載置されている。また、管継手１２の上には、フランジ１８を収容凹部３６に収容して管継手取付部材３０が配置されている。この管継手取付部材３０は、固定孔４０を介する皿ねじ２０によって床面１００に固定（本実施形態では、３つの皿ねじ２０を用いて固定）されている（図１及び図４参照）。つまり、フランジ１８が床面１００と収容凹部３６の底面とで挟まれて管継手１２が床面１００の開口１０２に取付けられている。また、フランジ１８の孔１８Ａには突起３８が嵌まり込んでいる。さらに、管継手１２の第１配管接続部１４には配管Ｐ１が接続され、第２配管接続部には配管Ｐ２が接続されている。
【００３８】
（管継手の取付手順）
次に、管継手取付方法として、管継手取付部材３０を用いて管継手１２を床面１００に形成された開口１０２に取付ける際の取付手順（１）〜（５）について説明する。
【００３９】
（１）  図５（Ａ）に示されるように、床面１００の所望の位置に円形の開口１０２を形成する。
（２）  図５（Ｂ）に示されるように、床下を通る配管Ｐ１を開口１０２から床上へ引き出す。
（３）  図５（Ｃ）に示されるように、開口１０２から引き出した配管Ｐ１の先端を管継手１２の第１配管接続部１４に接続する。
【００４０】
（４）  図５（Ｄ）に示されるように、配管Ｐ１を床下に押し戻し、第１配管接続部１４を開口１０２に挿通させて、フランジ１８の第１配管接続部１４側の面を開口１０２の縁部に載置（設置）する。
【００４１】
（５）次に、管継手取付部材３０の一方の面３２Ａを下に向け、突起３８とフランジ１８の孔１８Ａとの位置を合わせ、管継手取付部材３０を下方に押し込む。これにより、収容凹部３６にフランジ１８が収容されると共に、突起３８が孔１８Ａに嵌め込まれる。このとき、取付部材本体３２の一方の面３２Ａが床面１００に接触する（図５（Ｅ）参照）。
【００４２】
そして、図５（Ｅ）に示されるように、取付部材本体３２の他方の面３２Ｂ側から固定孔４０を介して床面１００に皿ねじ２０を捩じ込んで、取付部材本体３２を床面１００に固定する。これにより、フランジ１８が床面１００と収容凹部３６の底面とで挟まれて管継手１２が床面１００の開口１０２に取付けられる。
【００４３】
また、管継手１２を床面１００の開口に取付けた後、床上の配管Ｐ２の先端部の雄ねじ（図示省略）を管継手１２の第２配管接続部１６としての雌ねじに捩じ込む。これにより、床下の配管Ｐ１と床上の配管Ｐ２とが管継手１２を介して連結されて図１の状態となる。
【００４４】
次に第１実施形態の作用について説明する。
第１実施形態では、フランジ１８が床面１００と収容凹部３６の底面とで挟まれて管継手１２が床面１００の開口１０２に取付けられている。つまり、管継手１２は、床面１００に形成された開口が大きくて、例えばフランジ１８に設けられた孔１８Ａを介してねじで床面１００に直接取付けられない状態であったとしても、管継手取付部材３０を用いることで床面１００に取付けることができる。
【００４５】
また、フランジ１８を床面１００と収容凹部３６の底面とで挟んで管継手１２を床面１００の開口１０２に取付けるため、床下に配設された配管Ｐ１を開口１０２から引き出して管継手１２に接続した後でも、従来のように管継手と配管との接続を解除せずに、管継手１２を床面１００の開口１０２に取付けることができる。従って、配管Ｐ１と管継手１２との接続解除、及び再接続などの煩雑な作業を必要とせずに、管継手１２を床面１００の開口１０２に取付けることができる。
【００４６】
さらに、フランジ１８の孔１８Ａに突起３８が嵌まり込むため、管継手１２が管継手取付部材３０に対して相対回転するのが抑制される。これにより、管継手１２の第２配管接続部１４である雌ねじに配管Ｐ２の先端部の雄ねじ（図示省略）を捩じ込んだときに、管継手１２が配管Ｐ２と共回りするのが抑制される（図４参照）。また、突起３８は、フランジ１８を収容凹部３６に収容するときの位置決めとしても活用できる。
【００４７】
また、管継手１２の開口１０２への取付作業は、床上のみで実施されるため、床下、又は、床上及び床下を取付作業に用いる場合と比べて、取付作業が簡単になる。さらに、フランジ１８を床面１００と収容凹部３６の底面とで挟んで管継手１２が床面１００の開口１０２に取付けられるため、管継手取付部材に管継手を取付ける機構などを設ける必要がない。すなわち、簡単な構造の管継手取付部材３０で管継手１２が床面１００の開口１０２に取付けられる。
【００４８】
（その他の実施形態）
上述の実施形態では、管継手取付部材３０を用いて管継手１２を床面１００の開口１０２に取り付ける構成としたが、本発明はこの構成に限定される必要はなく、例えば、取付対象面を建物の壁面として、この壁面に形成された開口に管継手取付部材３０を用いて管継手１２を取り付ける構成としてもよく、取付対象面を建物の天井面として、この天井面に形成された開口に管継手取付部材３０を用いて管継手１２を取り付ける構成としてもよい。
【００４９】
また、上述の実施形態では、フランジ１８が管継手１２の軸方向の他端部に形成される構成としているが、本発明はこの構成に限定される必要はなく、フランジ１８は、管継手１２の軸方向の中間部分に形成してもよい。
【００５０】
さらに、上述の実施形態では、管継手１２の第１配管接続部１４側が開口１０２を挿通する構成としたが、本発明はこの構成に限定される必要はなく、第１配管接続部１４側を管継手取付部材３０の貫通孔３４を挿通させてフランジ１８よりも上方に位置させる構成としてもよい。なお、この場合には、配管Ｐ１が床上の配管、配管Ｐ２が床下の配管となる。
【００５１】
さらにまた、上述の実施形態では、管継手取付部材３０を皿ねじ２０を用いて床面１００に固定する構成としたが、本発明はこの構成に限定されず、取付部材本体３２の一方の面３２Ａと床面１００とを接着剤で接着して固定してもよく、また、その他の方法で固定してもよい。
【００５２】
また、上述の実施形態では、突起３８をフランジ１８の孔１８Ａに嵌め込んで管継手１２と管継手取付部材３０との相対回転を抑制する構成としたが、本発明はこの構成に限定される必要はなく、例えば、フランジ１８を矩形状とし、フランジ１８が収容される収容凹部３６も矩形状として管継手１２と管継手取付部材３０との相対回転をフランジの角部と収容凹部の壁面との接触で抑制する構成としてもよい。
【００５３】
そして、上述の実施形態では、一枚の板体を加工して取付部材本体３２を形成しているが、本発明はこの構成に限定される必要はなく、例えば、金属繊維等を網目が形成されるように編み込んで板状の取付部材本体を形成してもよい。さらに、上述の実施形態では、取付部材本体３２を板状としているが、本発明はこの構成に限定される必要はなく、ブロック状、またはそれ以外の形状であってもよい。
【００５４】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【図面の簡単な説明】
【００５５】
【図１】本発明の第１実施形態の管継手取付構造を示す部分断面図である。
【図２】第１実施形態の管継手取付部材の平面図である。
【図３】図２の３−３線断面図である。
【図４】第１実施形態の管継手及び管継手取付部材を床面に取り付けた状態を示す平面図である。
【図５】（Ａ）管継手の取付手順（１）を示す管継手及び管継手取付部材の部分断面図である。  （Ｂ）管継手の取付手順（２）を示す管継手及び管継手取付部材の部分断面図である。  （Ｃ）管継手の取付手順（３）を示す管継手及び管継手取付部材の部分断面図である。  （Ｄ）管継手の取付手順（４）を示す管継手及び管継手取付部材の部分断面図である。  （Ｅ）管継手の取付手順（５）を示す管継手及び管継手取付部材の部分断面図である。
【符号の説明】
【００５６】
１０   管継手取付構造
１２   管継手
１３   継手本体
１８   フランジ
１８Ａ 孔
２０   皿ねじ
３０   管継手取付部材
３２   取付部材本体
３２Ａ 一方の面
３２Ｂ 他方の面
３４   貫通孔
３６   収容凹部
３８   突起
４０   固定孔
１００ 床面
１０２ 開口
【図１】
2010065732.tif 000003
【図２】
2010065732.tif 000004
【図３】
2010065732.tif 000005
【図４】
2010065732.tif 000006
【図５】
2010065732.tif 000007